(57)【要約】【課題】支持体上のフレキシブルディスプレイの剥離を防止できる表示装置を提供する。【解決手段】表示装置１は、可とう性を有するフレキシブルディスプレイ３０による表示を行うものであり、フレキシブルディスプレイ３０が、支持体１０の上面の中間シート２０上に設けられる。支持体１０は伸縮性を有する素材で形成され、下面に切込み１１を有する。表示装置１を曲げた際には、支持体１０が切込み１１の近傍で折れ曲がった形状となる。支持体１０の上面の伸長は抑制されるので、フレキシブルディスプレイ３０等の剥離や損傷を防止できる。【選択図】図２
2018017745.tif 000002
【特許請求の範囲】
【請求項１】
可とう性を有するフレキシブルディスプレイによる表示を行う表示装置であって、
前記フレキシブルディスプレイが可とう性を有する支持体の上に設けられ、
前記支持体は、前記表示装置を曲げた際の前記フレキシブルディスプレイの変形に、前記フレキシブルディスプレイ側の面が伸縮せずに追従するものであることを特徴とする表示装置。
【請求項２】
前記支持体は伸縮性を有する素材で形成され、前記フレキシブルディスプレイ側とは反対側の面に凹部を有することを特徴とする請求項１記載の表示装置。
【請求項３】
前記凹部は、前記支持体の平面において縦横に複数配列されることを特徴とする請求項２記載の表示装置。
【請求項４】
前記支持体の前記フレキシブルディスプレイ側の面の近傍部分の伸縮性が、それ以外の部分の伸縮性よりも低いことを特徴とする請求項１記載の表示装置。
【請求項５】
前記支持体は内部に空洞を有し、
前記近傍部分以外の部分で、前記近傍部分よりも高密度に前記空洞が設けられたことを特徴とする請求項４記載の表示装置。
【請求項６】
前記支持体は、蛇腹部分を有することを特徴とする請求項１記載の表示装置。
【請求項７】
前記支持体の前記フレキシブルディスプレイ側の面は平坦であることを特徴とする請求項６記載の表示装置。
【請求項８】
前記支持体は、可とう性を有する複数のシートを重ねて形成されたものであることを特徴とする請求項１記載の表示装置。
【請求項９】
前記支持体と前記フレキシブルディスプレイの間に、可とう性を有する中間シートが設けられたことを特徴とする請求項１から請求項８のいずれかに記載の表示装置。
【請求項１０】
前記フレキシブルディスプレイおよび前記支持体の組を２組有し、各組の前記フレキシブルディスプレイおよび前記支持体の端部が保持部で保持されたことを特徴とする請求項１から請求項９のいずれかに記載の表示装置。
【発明の詳細な説明】
【技術分野】
【０００１】
本発明は表示装置に関する。
【背景技術】
【０００２】
現在、フィルム上にOLED(有機発光ダイオード)を形成するなどしたフレキシブルディスプレイが注目されている（例えば、特許文献１など）。フレキシブルディスプレイは軽量且つ薄厚であり、曲げることができるため、デザイン性も高い。
【０００３】
フレキシブルディスプレイの基材にはPI(ポリイミド)等の耐熱性のある高分子フィルム材料が使用され、フレキシブルディスプレイの特性を生かす為に非常に薄いものになる。実際の使用面を考えるとフレキシブル性（可とう性）はありつつもある程度の厚さが必要であり、フレキシブルディスプレイが適当な支持体上に設けられることが好ましい。
【先行技術文献】
【特許文献】
【０００４】
【特許文献１】特開2016-080869号公報
【発明の概要】
【発明が解決しようとする課題】
【０００５】
支持体上にフレキシブルディスプレイを設けるようなケースにおいて、問題となるのが曲げた際のフレキシブルディスプレイの剥離や損傷である。
【０００６】
例えば支持体に伸縮性（弾性）のある素材を用いて可とう性を実現し、フレキシブルディスプレイの特性を生かすことが考えられるが、図１２に示すように伸縮性のある支持体１１０の上面にフレキシブルディスプレイ３０を設けたときに、これを上に凸となるように曲げると、支持体１１０の上面が矢印に示すように伸長する（下面は収縮する）。フレキシブルディスプレイ３０で使用されるような基材の伸縮性は一般的に小さく、支持体１１０の上面の伸長に追従できず、剥離したり損傷したりする恐れがある。
【０００７】
本発明は上記の問題に鑑みてなされたものであり、支持体上のフレキシブルディスプレイの剥離を防止できる表示装置を提供することを目的とする。
【課題を解決するための手段】
【０００８】
前述した課題を解決するための本発明は、可とう性を有するフレキシブルディスプレイによる表示を行う表示装置であって、前記フレキシブルディスプレイが可とう性を有する支持体の上に設けられ、前記支持体は、前記表示装置を曲げた際の前記フレキシブルディスプレイの変形に、前記フレキシブルディスプレイ側の面が伸縮せずに追従するものであることを特徴とする表示装置である。
【０００９】
本発明では、可とう性を有する支持体の上にフレキシブルディスプレイを設けることで、表示装置にある程度の厚みと可とう性を持たせることができる。さらに、表示装置を曲げた際には、フレキシブルディスプレイの変形に、支持体のフレキシブルディスプレイ側の面が伸縮せずに追従するので、前記したフレキシブルディスプレイの剥離を防ぐことができる。なお、「伸縮せずに追従する」とは、支持体が全く伸縮しないことを指すものではなく、支持体にフレキシブルディスプレイが剥離しない程度の多少の伸縮も伴うが、支持体がその構成上の工夫によって専ら伸縮以外の要因によって変形しフレキシブルディスプレイの変形に追従するケースを含むものである。
【００１０】
例えば前記支持体は伸縮性を有する素材で形成され、前記フレキシブルディスプレイ側とは反対側の面に凹部を有する。前記凹部は、例えば前記支持体の平面において縦横に複数配列される。
この場合、表示装置を曲げた際に凹部の近傍が折れ曲がって支持体が変形し、これによって支持体の伸縮を抑制しフレキシブルディスプレイの剥離を好適に防止できる。凹部を縦横に複数設けることで、どの方向に表示装置を曲げた場合でもフレキシブルディスプレイの剥離を防止できる。
【００１１】
前記支持体の前記フレキシブルディスプレイ側の面の近傍部分の伸縮性が、それ以外の部分の伸縮性よりも低いことも望ましい。例えば前記支持体は内部に空洞を有し、前記近傍部分以外の部分で、前記近傍部分よりも高密度に前記空洞が設けられる。
このような伸縮性の違いによっても、支持体に可とう性を持たせるとともにフレキシブルディスプレイ側の面の伸縮を抑制し、フレキシブルディスプレイの剥離を好適に防止できる。具体的には、上記のように内部に空洞を有するスポンジ等で支持体を構成し、その空洞の密度を上記のように設定することで伸縮性の違いを実現できる。
【００１２】
前記支持体は、蛇腹部分を有するものでもよい。前記支持体の前記フレキシブルディスプレイ側の面は平坦であることが望ましい。
この場合、蛇腹部分を有する支持体の構造によって、支持体に可とう性を持たせることができる。そのため支持体は伸縮性を持たない素材で形成でき、表示装置を曲げた際のフレキシブルディスプレイの剥離を防ぐことができる。また支持体のフレキシブルディスプレイ側の面を平坦とすることで、支持体とフレキシブルディスプレイ等を密着して強く固定できる。
【００１３】
前記支持体は、可とう性を有する複数のシートを重ねて形成されたものでもよい。
この場合、紙束のように変形する複数のシートを有する支持体によって、支持体に可とう性を持たせることができる。上記と同様、シートに伸縮性は不要なので、表示装置を曲げた際のフレキシブルディスプレイの剥離を防ぐことができる。
【００１４】
前記支持体と前記フレキシブルディスプレイの間に、可とう性を有する中間シートが設けられることが望ましい。
この中間シートは可とう性を有していればよく伸縮性は不要であり、中間シートを支持体とフレキシブルディスプレイの間に設けることで、仮に中間シートが支持体から剥離するようなケースでも、フレキシブルディスプレイに直接負荷がかかるのを防ぎ、フレキシブルディスプレイの損傷を防ぐことができる。
【００１５】
また、前記表示装置は前記フレキシブルディスプレイおよび前記支持体の組を２組有し、各組の前記フレキシブルディスプレイおよび前記支持体の端部が保持部で保持されることが望ましい。
これにより、フレキシブルディスプレイの特性を生かした本や冊子のような表示装置とでき、本等のように容易に扱うことができる。また表示するコンテンツも本等のように見やすく違和感も少ない。さらに、表示装置は折り畳むことにより省スペースとなり、モバイル性にも優れている。
【発明の効果】
【００１６】
本発明により、支持体上のフレキシブルディスプレイの剥離を防止できる表示装置を提供することができる。
【図面の簡単な説明】
【００１７】
【図１】表示装置１を示す図。
【図２】表示装置１を曲げた状態を示す図。
【図３】表示装置１を曲げた状態を示す図。
【図４】表示装置１’を示す図。
【図５】表示装置１ａを示す図。
【図６】表示装置１ａ’を示す図。
【図７】表示装置１ｂを示す図。
【図８】表示装置１ｃ、１ｃ’を示す図。
【図９】表示装置１ｄを示す図。
【図１０】表示装置１ｄ’を示す図。
【図１１】表示装置１ｅを示す図。
【図１２】支持体１１０の伸縮を示す図。
【発明を実施するための形態】
【００１８】
以下、図面に基づいて本発明の好適な実施形態について詳細に説明する。
【００１９】
［第１の実施形態］
図１は本発明の第１の実施形態に係る表示装置１を示す図である。この表示装置１は、支持体１０の上面に中間シート２０を設け、その上にフレキシブルディスプレイ３０を設けたものである。支持体１０と中間シート２０、中間シート２０とフレキシブルディスプレイ３０は接着等により固定される。
【００２０】
支持体１０は表示装置１にある程度の厚さを持たせ、使用性を向上させるためのものであり、且つ支持体１０はフレキシブルディスプレイ３０の特性を生かすため可とう性を有する。そのために、本実施形態では支持体１０として少なくとも中間シート２０やフレキシブルディスプレイ３０よりも大きな伸縮性（弾性）を有する素材が用いられる。このような素材としてはゴムやウレタンなどがあり、例えば細かく粉砕したウレタンの集合体である粉砕ウレタン結合材や、天然ゴムによる黒色のセルスポンジなどを用いることができる。
【００２１】
また本実施形態では、表示装置１を曲げた際の中間シート２０やフレキシブルディスプレイ３０（以下、フレキシブルディスプレイ３０等ということがある）の変形に、支持体１０の上面（フレキシブルディスプレイ３０側の面）を伸縮せずに追従させるため、支持体１０の下面（フレキシブルディスプレイ３０側とは反対側の面）に切込み１１（凹部）が形成される。
【００２２】
中間シート２０は支持体１０とフレキシブルディスプレイ３０の間に設けられ、フレキシブルディスプレイ３０に直接負荷がかかるのを防ぎ、フレキシブルディスプレイ３０の損傷を防ぐ役割を有する。中間シート２０には、支持体１０より伸縮性は低いが、薄く可とう性を有するPET（ポリエチレンテレフタレート）、PP（ポリプロピレン）、PC（ポリカーボネート）、COP（シクロオレフィン）、COC（シクロオレフィンコポリマー）、PEN（ポリエチレンナフタレート）、アクリル樹脂などによる樹脂フィルムを用いることができる。
【００２３】
フレキシブルディスプレイ３０は、フィルム状の基材にOLED(有機発光ダイオード)等を設けて構成される。基材には、伸縮性が中間シート２０と同程度であり支持体１０よりも低いが、薄く可とう性を有するPI(ポリイミド)等の樹脂フィルムが用いられる。
【００２４】
図２は表示装置１を上が凸になるように曲げた状態を示す図である。本実施形態では、表示装置１を上が凸になるように曲げた際に、支持体１０が切込み１１の近傍で折れ曲がり、これによりフレキシブルディスプレイ３０等の変形に追従する。そのため、図１２の支持体１１０のように切込み１１が無いケースとは異なり、支持体１０の上面の伸長が抑制される。
【００２５】
従って、支持体１０よりも伸縮性の低いフレキシブルディスプレイ３０等であっても支持体１０から剥がれる恐れが無く、フレキシブルディスプレイ３０等の損傷も防ぐことができる。なお、図２および後述する図３〜図５では、説明のため支持体１０等の屈曲形状を若干誇張して記載している。
【００２６】
図３は表示装置１を下が凸になるように曲げた状態を示す図であり、この場合も、支持体１０が切込み１１の近傍で上記とは逆に折れ曲がることで支持体１０の上面の収縮が抑制され、同様の効果が得られる。
【００２７】
以上説明したように、本実施形態によれば、可とう性を有する支持体１０の上にフレキシブルディスプレイ３０等を設けることで、表示装置１にある程度の厚みと可とう性を持たせることができる。さらに、表示装置１を曲げた際には、フレキシブルディスプレイ３０等の変形に、支持体１０の上面が伸縮せずに追従するので、前記したフレキシブルディスプレイ３０等の剥離や損傷を防ぐことができる。
【００２８】
本実施形態では、伸縮性を有する素材で支持体１０を形成することで支持体１０に可とう性を持たせ、この時支持体１０の下面に切込み１１を形成することで、表示装置１を曲げた際に切込み１１の近傍が折れ曲がって支持体１０が変形し、これによって支持体１０の伸縮を抑制し、フレキシブルディスプレイ３０等の剥離や損傷を好適に防止できる。
【００２９】
また、支持体１０とフレキシブルディスプレイ３０の間に前記の中間シート２０を設けることで、仮に中間シート２０が支持体１０から剥離するようなケースでも、フレキシブルディスプレイ３０に直接負荷がかかるのを防ぎ、フレキシブルディスプレイ３０の損傷を防ぐことができる。
【００３０】
しかしながら、本発明はこれに限らない。例えば図４の表示装置１’に示すように、支持体１０ａの上面に切込み１１を設けることも可能である。ただし、フレキシブルディスプレイ３０等と支持体１０ａの間に空隙ができるので、フレキシブルディスプレイ３０等の固定という観点からは、図１等に示すように支持体１０の上面は平坦とし、フレキシブルディスプレイ３０等を当該上面に密着させて固定するほうが望ましい。
【００３１】
さらに、フレキシブルディスプレイ３０の上面に保護層や偏光層などその他の層を追加して設けることも可能である。また、場合によっては中間シート２０を省略しフレキシブルディスプレイ３０を接着等により支持体１０に直接固定することも可能である。
【００３２】
以下、本発明の別の例について、第２〜第６の実施形態として説明する。各実施形態はそれまでに説明した実施形態と異なる点について説明し、同様の点については図等で同じ符号を付すなどして説明を省略する。また、第１の実施形態も含め、各実施形態で説明する構成は必要に応じて組み合わせることも可能である。
【００３３】
［第２の実施形態］
図５（ａ）は第２の実施形態に係る表示装置１ａを示す図である。図に示すように、第２の実施形態では、第１の実施形態で説明した支持体１０、中間シート２０およびフレキシブルディスプレイ３０の組を２組用意し、各組の支持体１０、中間シート２０およびフレキシブルディスプレイ３０の端部を保持部４０で保持し、フレキシブルディスプレイ３０同士が向かい合うように配置する。
【００３４】
保持部４０にはフレキシブルディスプレイ３０の回路等を収納することができ、図５（ｂ）に示すように各組の支持体１０等を曲げて外側に拡げることで本や冊子のように開くことができる。
【００３５】
この場合も、支持体１０に切込み１１が設けられていることにより、第１の実施形態と同様、フレキシブルディスプレイ３０等の変形に支持体１０の上面が伸縮せずに追従し、フレキシブルディスプレイ３０等の剥離や損傷を防止できる。また第２の実施形態ではフレキシブルディスプレイ３０の特性を生かした本や冊子のような表示装置１ａとでき、本等のように容易に扱うことができる。また表示するコンテンツも本等のように見やすく違和感も少ない。また表示装置１ａは図５（ａ）に示すように折り畳むことができ省スペースとなりモバイル性にも優れている。
【００３６】
また、図６の表示装置１ａ’に示すように、支持体１０、中間シート２０およびフレキシブルディスプレイ３０を取り囲むように可とう性を有する枠体５０を設けてもよい。枠体５０によって支持体１０等を保護でき、その内部にフレキシブルディスプレイ３０の回路等を収納することもできる。枠体５０には耐摩耗性および可とう性を有する素材を用いることができ、例えば薄厚の樹脂やゴム、布などが使用できる。同様の枠体は、第１の実施形態の表示装置１に対して設けることも可能である。
【００３７】
［第３の実施形態］
図７（ａ）は第３の実施形態に係る表示装置１ｂを示す図である。この表示装置１ｂは、支持体１０ｂの下面に切込みでなく穴１３（凹部）を設けた点で第１の実施形態と異なる。
【００３８】
図７（ｂ）は支持体１０ｂの下面を示す図である。本実施形態では、円形の穴１３を縦横に複数配列し、穴１３を支持体１０ｂの全面に設ける。穴１３の間隔やサイズは適宜定めることができる。
【００３９】
本実施形態でも、穴１３が前記の切込み１１と同様に機能し、フレキシブルディスプレイ３０等の変形に支持体１０ｂの上面が伸縮せずに追従し、フレキシブルディスプレイ３０等の剥離や損傷を防止できる。また、図７（ｂ）に示すように穴１３を縦横に複数設けることで、表示装置１ｂをどの方向に曲げる場合であってもフレキシブルディスプレイ３０等の剥離や損傷を防止できる。
【００４０】
［第４の実施形態］
図８（ａ）は第４の実施形態に係る表示装置１ｃを示す図である。この表示装置１ｃは、可とう性を有する支持体１０ｃの上面の近傍部分１０１の伸縮性を、近傍部分１０１以外の部分１０２より低くしたものである。
【００４１】
具体的には、支持体１０ｃはスポンジ状であり、その内部の空洞１４（気泡）が潰れたり拡がったりすることで支持体１０ｃが変形するようになっている。この空洞１４は、支持体１０ｃの上面の近傍部分１０１よりもそれ以外の部分１０２で高密度に設けられており、当該部分１０２の伸縮性を高めている。
【００４２】
表示装置１ｃを上に凸となるように曲げた場合、図８（ｂ）に示すように空洞１４が潰れて支持体１０ｃが変形する。一方、表示装置１ｃを下に凸となるように曲げた場合は、空洞１４が拡がって支持体１０ｃが変形する。支持体１０ｃの空洞１４のサイズや大きさ、密度は適宜定めることができる。
【００４３】
どちらの場合にも、空洞１４の少ない支持体１０ｃの上面の近傍部分１０１の伸縮は抑制されるので、第１の実施形態と同様、フレキシブルディスプレイ３０等の変形に支持体１０ｃの上面が伸縮せずに追従し、フレキシブルディスプレイ３０等の剥離や損傷を防止できる。
【００４４】
このように、本実施形態では、上下で伸縮性が異なる構成によって支持体１０ｃに可とう性を持たせるとともに上面の伸縮を抑制し、フレキシブルディスプレイ３０等の剥離や損傷を好適に防止できる。本実施形態では、支持体１０ｃを内部に空洞１４を有するスポンジ等で構成し、その空洞１４の密度を前記のように設定することで上記のような伸縮性の違いを実現できる。
【００４５】
また、図８（ｃ）の表示装置１ｃ’に示すように、支持体１０ｃ’の上面の近傍部分１０１とそれ以外の部分１０２を別々に製造し、シート１２等を挟むようにこれらを配置し支持体１０ｃ’としてもよい。この場合は空洞１４が低密度な近傍部分１０１と空洞１４が高密度なそれ以外の部分１０２を別々に製造すればよく、空洞１４の密度が上下で変化するような支持体１０ｃを製造する必要がある図８（ａ）のようなケースと比較し、容易に製造できる利点もある。またこれらの層を重ねることで使用性や剛性等を考慮した適切な厚みとすることもできる。
【００４６】
［第５の実施形態］
図９（ａ）は第４の実施形態に係る表示装置１ｄを示す図である。この表示装置１ｄは、複数のシート１５を上下に重ねて支持体１０ｄを構成し、これらのシート１５を保持するための枠体６０を設けた点で第１の実施形態と異なる。
【００４７】
各シート１５は例えば樹脂によって形成でき、フレキシブルディスプレイ３０や中間シート２０と同様、薄厚であり可とう性を有する。また伸縮性についてもフレキシブルディスプレイ３０や中間シート２０と同様に低いものとする。最上部のシート１５には中間シート２０が固定される。
【００４８】
枠体６０はシート１５を保持するとともにシート１５を保護するものであり、耐摩耗性および可とう性を有する材質が用いられる。例えば薄厚の樹脂やゴム、布などを用いることができる。
【００４９】
図９（ｂ）は表示装置１ｄを上が凸になるように曲げた状態を示す図である。本実施形態では、表示装置１ｄを曲げた際に、薄厚の各シート１５が紙束のように個別に屈曲し、この屈曲によって支持体１０ｄの可とう性を実現している。シート１５自体は伸縮しなくてよいので、第１の実施形態と同様、フレキシブルディスプレイ３０等の変形に支持体１０ｄの上面が伸縮せずに追従し、フレキシブルディスプレイ３０等の剥離や損傷を防止できる。これは表示装置１ｄを下が凸になるように曲げた場合も同様である。
【００５０】
本実施形態では伸縮性の低いシート１５を用いているが、シート１５は薄厚であり曲げ変形が卓越するので、フレキシブルディスプレイ３０等より伸縮性が高いウレタン等の素材を用いた場合でも、表示装置１ｄを曲げる際の伸縮を抑制でき、同様の効果がある。
【００５１】
なお、上下のシート１５同士は例えば図９（ｃ）に示すように平面の中心線に沿った範囲１５１で接着等により固定したり、図９（ｄ）に示すように平面の中央部１５２付近で接着等により固定したりすることができる。前者の場合は中心線と直交する方向に沿って曲げた時に上記の効果が得られ、且つ上下のシート１５同士を強く固定できる。一方、後者の場合はどの方向に沿って曲げた場合でも上記の効果が得られる。その他、上下のシート１５同士を平面の隅部などで接着等により固定することも可能である。
【００５２】
また、図１０の表示装置１ｄ’の支持体１０ｄ’に示すように保持部１６の両側に上下複数のシート１５を接続してもよく、この場合は各シート１５を保持部１６によってしっかりと固定できる。
【００５３】
［第６の実施形態］
図１１（ａ）は第６の実施形態に係る表示装置１ｅを示す図である。この表示装置１ｅは、支持体１０ｅの側面や下面が蛇腹部分を有する構造となっている点で第１の実施形態と異なる。支持体１０ｅは樹脂等で形成されその内側は中空となっており、フレキシブルディスプレイ３０の回路や配線等を通すことができる。
【００５４】
ただし、支持体１０ｅの上面は平坦となっており、この平坦な上面に中間シート２０が設けられ、その上にフレキシブルディスプレイ３０が設けられる。
【００５５】
図１１（ｂ）に示すように表示装置１ｅを上が凸になるように曲げた場合、支持体１０ｅの蛇腹部分が折り畳まれて支持体１０ｅが変形する。表示装置１ｅを下が凸になるように折り曲げた場合には蛇腹部分が拡がって支持体１０ｅが変形する。
【００５６】
このように、本実施形態では蛇腹部分を有する支持体１０ｅの構造により可とう性を実現できるので、支持体１０ｅの素材は伸縮性の低いものでよい。そのため、第１の実施形態と同様、フレキシブルディスプレイ３０等の変形に支持体１０ｅの上面が伸縮せずに追従し、フレキシブルディスプレイ３０等の剥離や損傷を防止できる。
【００５７】
なお、本実施形態では支持体１０ｅの上面を平坦面としたが、上面も蛇腹状とし、支持体１０ｅを全体的に蛇腹状となったチューブとすることもできる。ただし、支持体１０ｅの上面を平坦面としたほうが、支持体１０ｅとフレキシブルディスプレイ３０等を密着させて強く固定しやすい利点がある。
【００５８】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５９】
１、１’、１ａ、１ａ’、１ｂ、１ｃ、１ｃ’、１ｄ、１ｄ’、１ｅ；表示装置
１０、１０ａ、１０ｂ、１０ｃ、１０ｃ’、１０ｄ、１０ｄ’、１０ｅ、１１０；支持体
１１；切込み
１２；シート
１３；穴
１４；空洞
１５；シート
１６、４０；保持部 
２０；中間シート
３０；フレキシブルディスプレイ
５０、６０；枠体
１０１；近傍部分
１０２；部分
【図１】
2018017745.tif 000003
【図２】
2018017745.tif 000004
【図３】
2018017745.tif 000005
【図４】
2018017745.tif 000006
【図５】
2018017745.tif 000007
【図６】
2018017745.tif 000008
【図７】
2018017745.tif 000009
【図８】
2018017745.tif 000010
【図９】
2018017745.tif 000011
【図１０】
2018017745.tif 000012
【図１１】
2018017745.tif 000013
【図１２】
2018017745.tif 000014